(57)【要約】【課題】コンクリートブロック連結金具の配設後に、このコンクリートブロック連結金具と環状鉄筋との間の遊びをなくすことにより、互いに向かい合う環状鉄筋を緊密に結束し、コンクリートブロックを強固に連結する手段を提供することを目的とする。【解決手段】コンクリートブロック連結金具は、リング本体と、該リング本体の先端に設けられたリング先端部と、後端に設けられたリング後端部とを有するコンクリートブロック連結金具において、前記リング本体がその長さ方向中間部において分断され、いずれか一方の端部に右ねじ部が形成されるとともに他方の端部に左ねじ部が形成され、前記右ねじ部に螺合する右雌ねじ部及び前記左ねじ部に螺合する左雌ねじ部を有する結束力調節ナットが前記右ねじ部と前記左ねじ部との間に介在されたものである。【選択図】      図１
2005036412.tif 000002
【特許請求の範囲】
【請求項１】
細長の鋼材が平面視がリング状且つその両端が上下方向に離間するように形成されてなるリング本体と、該リング本体の先端に設けられたリング先端部と、後端に設けられたリング後端部とを有し、前記リング本体が、相隣接するようにして積み上げられたコンクリートブロックそれぞれの隅角部から環状に突設されて互いに向かい合う環状鉄筋それぞれに挿通され、前記リング先端部と前記リング後端部が接続されることにより、前記環状鉄筋を結束して前記コンクリートブロックを互いに連結するコンクリートブロック連結金具において、
前記リング本体がその長さ方向中間部において分断され、いずれか一方の端部に右ねじ部が形成されるとともに他方の端部に左ねじ部が形成され、前記右ねじ部に螺合する右雌ねじ部及び前記左ねじ部に螺合する左雌ねじ部を有する結束力調節ナットが前記右ねじ部と前記左ねじ部との間に介在されたことを特徴とするコンクリートブロック連結金具。
【請求項２】
前記リング本体の前記リング先端部と前記リング後端部の接続が、前記リング先端部を前記リング本体に対して直角に起立させて形成し、このリング先端部を、前記リング後端部に形成された挿通孔に挿通させ、前記リング後端部から突出した前記リング先端部に止めナットを螺合させて締め付けたことを特徴とする請求項１記載のコンクリートブロック連結金具。
【発明の詳細な説明】
【０００１】
【発明の属する技術分野】
本発明は、相隣接するように積み上げられたコンクリートブロックを互いに連結するコンクリートブロック連結金具に関し、特に、配設後にその結束力の調節が可能なコンクリートブロック連結金具に関するものである。
【０００２】
【従来の技術】
護岸、法面保護、路面被覆、及び景観創出等を目的として、コンクリートブロックを相隣接するようにして積み上げる方法が従来多く用いられている。この場合、高波や河川の増水等によってコンクリートブロックが押し流されたり、崩れたりすることを防止するために、相隣接するコンクリートブロック同士を互いに連結する必要がある。このため、コンクリートブロックの隅角部から環状鉄筋を突設させ、コンクリートブロックを積み上げた際に、互いに向かい合う複数の環状鉄筋を所定の連結金具を用いて結束することによりコンクリートブロックを連結する。図７は、従来のコンクリートブロック連結金具２１の一例を示す図である（特許文献１参照）。図に示すように、コンクリートブロック連結金具２１は、平面視がリング状で且つその両端が上下方向に離間するように形成されてなるリング本体２２、該リング本体２２の先端部であってボルト貫通孔２３が形成されたリング先端部２４、及びリング本体２２の後端部であってねじ溝２５が形成されたリング後端部２６を備えてなる結束用リング体２７と、リング先端部２４とリング後端部２６を螺合させるボルト２８とを具備するものである。
【０００３】
前記コンクリートブロック連結金具２１は、図９に示すように、コンクリートブロックＢが相隣接するようにして積み上げられた場合における位置Ｘにおいて使用されるものである。図８は、図９の位置Ｘについて拡大した図であるが、図に示すように、コンクリートブロックＢの隅角部Ｂｃから突設され、互いに向かい合う４個の環状鉄筋Ｌに対してリング本体２２を回転させながら順次挿通させていく。この時、リング本体２２は、両端が上下方向に離間するように形成されており、環状鉄筋Ｌに対して挿通させやすいものとなっている。リング本体２２を４個全ての環状鉄筋Ｌに挿通させた後、前記ボルト２８を上方からリング先端部２４に挿通させるとともに、リング後端部２６のねじ溝２５に螺合させ、リング先端部２４とリング後端部２６が当接するまでボルト２８を締め付ける。以上により、４個の環状鉄筋Ｌがコンクリートブロック連結金具２１によって結束されてコンクリートブロックＢが互いに連結されるものとなっている
【０００４】
【特許文献１】
特開平０７−１１２７５６号公報
【０００５】
【発明が解決しようとする課題】
しかし、従来のコンクリートブロック連結金具２１では、リング本体２２を環状鉄筋Ｌに挿通させやすいように、リング本体２２の内周縁２２Ｅの大きさが、互いに向かい合う環状鉄筋Ｌの内周縁ＬＥ同士の離間距離Ｄよりも十分大きくなるように形成している。これにより、図８に示すように、リング本体２２の内周縁２２Ｅと環状鉄筋Ｌの内周縁ＬＥとの間には遊びＡが生じ、また、コンクリートブロック連結金具２１の配設後に前記遊びＡを小さくする手段も設けられていない。従って、外力の作用に対して、コンクリートブロックＢに遊びＡの分だけずれが生じる場合があるという問題があった。
【０００６】
本発明は、このような問題に鑑みてなされたものであり、コンクリートブロック連結金具の配設後に、このコンクリートブロック連結金具と環状鉄筋との間の遊びをなくすことにより、互いに向かい合う環状鉄筋を緊密に結束し、コンクリートブロックを強固に連結する手段を提供することを目的とする。
【０００７】
【課題を解決するための手段】
本発明に係るコンクリートブロック連結金具は、細長の鋼材が平面視がリング状且つその両端が上下方向に離間するように形成されてなるリング本体と、該リング本体の先端に設けられたリング先端部と、後端に設けられたリング後端部とを有し、前記リング本体が、相隣接するようにして積み上げられたコンクリートブロックそれぞれの隅角部から環状に突設されて互いに向かい合う環状鉄筋それぞれに挿通され、前記リング先端部と前記リング後端部が接続されることにより、前記環状鉄筋を結束して前記コンクリートブロックを互いに連結するコンクリートブロック連結金具において、前記リング本体がその長さ方向中間部において分断され、いずれか一方の端部に右ねじ部が形成されるとともに他方の端部に左ねじ部が形成され、前記右ねじ部に螺合する右雌ねじ部及び前記左ねじ部に螺合する左雌ねじ部を有する結束力調節ナットが前記右ねじ部と前記左ねじ部との間に介在されたものである。
【０００８】
また、本発明は、前記リング本体の前記リング先端部と前記リング後端部の接続が、前記リング先端部を前記リング本体に対して直角に起立させて形成し、このリング先端部を、前記リング後端部に形成された挿通孔に挿通させ、前記リング後端部から突出した前記リング先端部に止めナットを螺合させて締め付けたものである。
【０００９】
【発明の実施の形態】
以下、本発明の実施形態について図面に基づいて説明する。本実施形態に係るコンクリートブロック連結金具１は、従来例に係るコンクリートブロック連結金具２１と同様に、図９における位置Ｘにおいて使用されるものである。図１は、本実施形態に係るコンクリートブロック連結金具１の構成を示す分解斜視図である。図に示すように、コンクリートブロック連結金具１は、細長の鋼材が平面視がリング状且つその両端部が上下方向に離間するように形成されてなるリング本体２と、このリング本体２の両端部を接続するための止めナット３と、リング本体２が長さ方向中間部において分断されて、この分断箇所に設けられた結束力調節ナット４とを具備してなるものである。以下、各構成要素について更に詳細に説明する。
【００１０】
前記リング本体２は、コンクリートブロックＢの環状鉄筋Ｌに挿通されて環状鉄筋Ｌを結束するものであり、細長の丸棒鋼材が、平面視がリング状となるように、且つその両端部が上下方向に離間するように形成されてなるものである。また、図１に示すように、リング本体２の両端部のうち下方に位置する側の端部２ａには、リング本体２に対して略直角に立ち上がるとともにねじ部５が形成されてなる立上がり部（リング先端部）６が設けられている。一方、リング本体２の両端部のうち上方に位置する側の端部２ｂには、挿通孔７が形成されてなる挿通部（リング後端部）８が設けられている。本実施形態では、図１に示すように、この挿通部８として円柱型のパイプを使用しているが、これに限られず、例えば、角型のパイプを使用することも可能である。ここで、リング本体２はその両端部が上下方向に離間するように形成されているので、立上がり部６と挿通部８との間には、図１に示すように、間隙９が生じており、この間隙９から環状鉄筋Ｌを通すようにすることにより、リング本体２を環状鉄筋Ｌに容易に挿通させることが可能となっている。また、この立上がり部６を挿通部８に挿通させた上で、挿通部８から突出した立上がり部６の先端部分６ａに、挿通孔７より大きい径を有する止めナット３を螺合させて、挿通部８の底部８ａがリング本体２に当接するまで止めナット３を締め付ける。これにより、立上がり部６と挿通部８との間の間隙９が塞がれ、リング本体２の両端部が容易且つ確実に接続されるものとなっている。
【００１１】
また、リング本体２は、図１に示すように、その長さ方向略中央部において分断され、前記挿通部８側である上リング本体２Ａと、前記立上がり部６側である下リング本体２Ｂとに分けられており、上リング本体２Ａにおける挿通部８と逆側の端部には左ねじ部１０が形成され、下リング本体２Ｂにおける立上がり部６と逆側の端部には右ねじ部１１が形成されている。また、この左ねじ部１０及び右ねじ部１１は、本実施形態とは逆に、上リング本体２Ａに右ねじ部１１を形成し、下リング本体２Ｂに左ねじ部１０を形成することも可能であるが、本実施形態のようにすれば、前記結束力調節ナット４の操作を行う際に、結束力調節ナット４をリング本体２の外側方向へと廻せばよいので、作業者の手と環状鉄筋Ｌとが干渉することがなく作業を行いやすいという利点がある。
【００１２】
前記結束力調節ナット４は、リング本体２の前記分断箇所に設けられ、リング本体２の内周縁２Ｅの大きさを調節することにより、その結束力を調節するものである。図２及び図３は、結束力調節ナット４を示す図であり、図２は概略斜視図、図３は概略断面図である。図に示すように、結束力調節ナット４は、金属等からなる断面六角形の部材の一方の端部４ａに、前記上リング本体２Ａの左ねじ部１０に螺合する形状の左雌ねじ部１２が形成されており、他方の端部４ｂに、下リング本体２Ｂの右ねじ部１１に螺合する形状の右雌ねじ部１３が形成されている。ここで、結束力を調節する前の初期状態においては、図３（ａ）に示すように、上リング本体２Ａの左ねじ部１０及び右リング本体２Ｂの右ねじ部１１の先端部分のみが結束力調節ナットの４左雌ねじ部１２及び右雌ねじ部１３に螺合した状態となっている。この状態において結束力調節ナット４をリング本体２の外側方向へと廻した場合、図３（ｂ）に示すように、左ねじ部１０と右ねじ部１１は共に結束力調節ナット４の内方へと向かって進み、リング本体２の内周縁２Ｅの大きさが小さくなる。これにより、環状鉄筋Ｌをより緊密に結束することが可能となっている。もちろん、これとは逆に、結束力調節ナット４をリング本体２の内側方向へと廻すことにより、リング本体２の内周縁２Ｅの大きさを大きくして、環状鉄筋Ｌの結束を緩めることもできる。尚、結束力調節ナット４の材質、形状等は、本実施形態に限られず任意に設計変更が可能である。
【００１３】
以下、コンクリートブロック連結金具１を用いたコンクリートブロックＢの連結手順について説明する。まず、図４に示すように、相隣接するようにして積み上げられたコンクリートブロックＢそれぞれの隅角部Ｂｃから突設され、互いに向かいあう４つの環状鉄筋Ｌに対して、コンクリートブロック連結金具１のリング本体２を順次挿通させる。この時、立上がり部６と挿通部８との間に生じた間隙９から環状鉄筋Ｌを通すようにすることで、リング本体２を環状鉄筋Ｌに容易に挿通させることができる。その後、リング本体２を回転させながら、残りの環状鉄筋Ｌについても同様にして順次挿通させる。
【００１４】
次に、リング本体２の両端部を接続する。すなわち、図５に示すように、下リング本体２Ｂの立上がり部６を上リング本体２Ａの挿通部８に挿通させ、挿通部８から突出した立上がり部６の先端部分６ａに止めナット３を螺合させることにより、リング本体２の両端部を接続する。この時、図に示すように、リング本体２の内周縁２Ｅと環状鉄筋Ｌの内周縁ＬＥとの間には、遊びＡが生じた状態となっている。
【００１５】
最後に、結束力調節ナット４により結束力の調節を行う。すなわち、図６に示すように、結束力調節ナット４をリング本体２の外側方向へと廻し、前記遊びＡが小さくなるよう調節する。これにより、環状鉄筋Ｌをより緊密に結束して、コンクリートブロックＢの連結をより強固なものとすることができる。
【００１６】
【発明の効果】
以上説明したように、本発明に係るコンクリートブロック連結金具によれば、細長の鋼材が平面視がリング状且つその両端が上下方向に離間するように形成されてなるリング本体と、該リング本体の先端に設けられたリング先端部と、後端に設けられたリング後端部とを有し、前記リング本体が、相隣接するようにして積み上げられたコンクリートブロックそれぞれの隅角部から環状に突設されて互いに向かい合う環状鉄筋それぞれに挿通され、前記リング先端部と前記リング後端部が接続されることにより、前記環状鉄筋を結束して前記コンクリートブロックを互いに連結するコンクリートブロック連結金具において、前記リング本体がその長さ方向中間部において分断され、いずれか一方の端部に右ねじ部が形成されるとともに他方の端部に左ねじ部が形成され、前記右ねじ部に螺合する右雌ねじ部及び前記左ねじ部に螺合する左雌ねじ部を有する結束力調節ナットが前記右ねじ部と前記左ねじ部との間に介在されたものなので、コンクリートブロック連結金具の配設後において、結束力調節ナットを廻すだけの簡単な操作を行うだけで、リング本体の内周縁と環状鉄筋の内周縁との間の遊びを小さくすることができる。これにより、環状鉄筋をより緊密に結束して、コンクリートブロックの連結をより強固なものとすることができる。
【００１７】
また、本発明によれば、前記リング本体の前記先端部と前記後端部の接続が、前記先端部に前記リング本体に対して直角に起立して設けられた起立部を、前記後端部に形成された挿通孔に挿通させ、前記後端部から突出した前記先端部に止めナットを螺合させて締め付けたものなので、リング本体の両端部を容易且つ確実に接続することができる。
【図面の簡単な説明】
【図１】本発明に係るコンクリートブロック連結金具１の構成を示す分解斜視図。
【図２】本発明に係る結束力調節ナット４を示す概略斜視図。
【図３】本発明の実施形態に係る結束力調節ナット４を示す概略断面図。
【図４】コンクリートブロック連結金具１の配設手順を示す図。
【図５】コンクリートブロック連結金具１の配設手順を示す図。
【図６】コンクリートブロック連結金具１の配設手順を示す図。
【図７】従来例に係るコンクリートブロック連結金具２１を示す概略斜視図。
【図８】従来例に係るコンクリートブロック連結金具２１の使用状態を示す図。
【図９】コンクリートブロックＢが相隣接するようにして積み上げられた状態を示す図。
【符号の説明】
１  コンクリートブロック連結金具
２  リング本体
３  止めナット
４  結束力調節ナット
６  立上がり部（リング先端部）
７  挿通孔
８  挿通部（リング後端部）
１０  左ねじ部
１１  右ねじ部
１２  左雌ねじ部
１３  右雌ねじ部
Ｂ  コンクリートブロック
Ｂｃ  隅角部
Ｌ  環状鉄筋
【図１】
2005036412.tif 000003
【図２】
2005036412.tif 000004
【図３】
2005036412.tif 000005
【図４】
2005036412.tif 000006
【図５】
2005036412.tif 000007
【図６】
2005036412.tif 000008
【図７】
2005036412.tif 000009
【図８】
2005036412.tif 000010
【図９】
2005036412.tif 000011